Podtech/llm-jp-corpus-v4-ja_patent huggingface dataset:
(57)【要約】　　　（修正有）【課題】一度の多量使用による本管内の圧力の変化によりトラップ内の封水が本管側に引き込まれる事を防止すること。【解決手段】トラップに空気弁１を設置する。一度に多数の使用が重なり、本管の流水が大量になって圧力が低くなった場合、排水管内の空気やトラップ内の封水を本管へと引き込もうとする力が働くが、その、圧力が低い方へと引き込む力によって、可動レバーが空気穴を押える方向とは逆方向へと引かれるため、押えていた空気穴を解放する。すると、空気穴が解放される事で、空気の流れが発生し、トラップ内の封水が本管へと引き込まれることはなくなる。【選択図】　　図１
0003099342.tif 000002
【実用新案登録請求の範囲】
【請求項１】
トラップに空気弁（１）を設置した空気弁付きトラップ。
【考案の詳細な説明】
【０００１】
【考案の属する技術分野】
本考案は、空気弁を設置したトラップに関する。
【０００２】
【従来の技術】
従来、トラップに空気弁は付いていなかった。
【０００３】
【考案が解決しようとする課題】
マンション等の集合住宅において、一時的に多数の使用が重なると、本管の中を流れる水量が急激に増し、本管内の圧力が低くなる。そのため本管に接続している配水管内部では、本管側に空気が引かれ、更にその先に接続しているトラップ内に常時ある封水も本管側に引かれ、徐々に吸い出されるため、封水はトラップ内に少量しか残らず、時間がたつとトラップ内に封水が無くなってしまうという問題点があった。
【０００４】
【課題を解決するための手段】
本考案は、トラップに空気弁を設置する事により、一時的に多量の使用があっても排水管等の圧力の変化に対応して、トラップ内の封水の流出を防ぐ手段を設けることとしている。
【０００５】
【考案の実施の形態】
本考案の空気弁付きトラップでは、トラップの上部に空気弁を設ける。
【０００６】
トラップの種類にもこだわることなく、どの種類にも設置する事ができる。
【０００７】
【実施例】
実施例について、図面を参照をして説明すると、図面１において、トラップの上部に空気弁（１）を設置して、空気弁（１）とトラップを一体化する。
【０００８】
図２において、空気弁（１）の上部には空気穴（２）を設ける。
【０００９】
図９において、空気弁（１）の下部にバネ（３）を設け、可動レバー（４）を設ける。
【００１０】
図９において、空気穴（２）は、上面に空いている穴と、下面に空いている穴の二層にして、その間にフィルター（５）を設け、下面に向かっている空気穴（２）は可動レバー（４）によって塞がれている。
【００１１】
【考案の効果】
本考案は、以上説明した様な形態で実施され、以下に記載される様な効果を奏する。
【００１２】
一度に多数の使用が重なり、本管の流水が大量になって圧力が低くなった場合、排水管内の空気やトラップ内の封水を本管へと引き込もうとする力が働くが、その、圧力が低い方へと引き込む力によって、可動レバーが空気穴を押える方向とは逆方向へと引かれるため、押えていた空気穴を解放する。
【００１３】
すると、空気穴が解放される事で、空気の流れが発生し、トラップ内の封水が本管へと引き込まれることはなくなる。
【００１４】
通常、便器の使用により水を流した場合においては、流水と封水が流れてきても可動レバーが空気穴を押さえるような流れのため、可動レバーは空気穴を更に押し閉じるようになる。
【００１５】
漏水の心配をよりなくすために、空気弁の下面に空いている空気穴のまわり及び、下面にパッキングを設置して、可動レバーとの密着をより強くする事もできる。
【００１６】
【図面の簡単な説明】
【図１】斜視図
【図２】空気弁の斜視図
【図３】空気弁を底面側から見た斜視図
【図４】空気弁の上面図
【図５】空気弁の底面図
【図６】空気弁の正面図
【図７】空気弁の背面図
【図８】空気弁の左側面図
【図９】通常状態における空気弁の断面図
【図１０】可動レバーが本管側に引かれた状態を示す断面図
【図１１】使用状態を示す断面図
【符号の説明】
１．空気弁
２．空気穴
３．バネ
４．可動レバー
５．フィルター
６．空気弁付きトラップ
７．封水
８．排水管
９．本管
１０．便器
１１．マンホール
１２．雑排水管
１３．埋設部分
【図１】
0003099342.tif 000003
【図２】
0003099342.tif 000004
【図３】
0003099342.tif 000005
【図４】
0003099342.tif 000006
【図５】
0003099342.tif 000007
【図６】
0003099342.tif 000008
【図７】
0003099342.tif 000009
【図８】
0003099342.tif 000010
【図９】
0003099342.tif 000011
【図１０】
0003099342.tif 000012
【図１１】
0003099342.tif 000013
【手続補正書】
【提出日】平成15年7月14日(2003.7.14)
【手続補正１】
【補正対象書類名】明細書
【補正対象項目名】実用新案登録請求の範囲
【補正方法】変更
【補正の内容】
【実用新案登録請求の範囲】
【請求項１】
上部に空気穴（２）を設け、下部に可動レバー（４）を設け、更にバネ（３）を設けた、空気弁（１）をトラップの上部に設けた、空気弁付きトラップ。
(57)【要約】　　　（修正有）【課題】従来、テレビフレームは、あまりにも簡素で、画面重視でフレームも特長が乏しかった。テレビがついている時は存在感があるが、消している時は、存在感は乏しく暗いイメージがあった。【解決手段】フレームに、色・デザイン・文字・キャラクターのプリントにより部屋のインテリアとして、テレビの新しい用い方ができる。液晶テレビが、それを可能にする。インテリア化することで、暗いイメージが解消される。【選択図】　　　図１
0003099349.tif 000002
【実用新案登録請求の範囲】
【請求項１】
液晶画面のフレームに色、文字、デザイン、キャラクター商品などを、塗装、添付することにより色彩を持たせ、テレビやパソコンなどが、部屋のインテリアとしても活用する。
【考案の詳細な説明】
【０００１】
【考案の属する技術分野】
電気産業、塗装・吹き付け業、デザイン産業、家電販売業インテリア販売業など
【０００２】
【従来の技術】
いままでは、テレビは、ブラウン管・各機器が容量を取り、非常に大きく、部屋の中でも場所を取り、消えている時は、冷たく・暗いイメージがあった。
【０００３】
【考案が解決しようとする課題】
テレビへの、固定概念をいかに変えるか
個性の時代に、いかに消費者のニーズに答えるかである。
【０００４】
【考案の効果】
個性の時代に応じて、テレビへのいままでの固定観念を変えることにより、部屋のインテリアとして、好きな色を選べ、個人の感性にあわせて購入することができる。
0003099349.tif 000003
【手続補正書】
【提出日】平成15年9月5日(2003.9.5)
【手続補正２】
【補正対象書類名】明細書
【補正対象項目名】全文
【補正方法】変更
【補正の内容】
【実用新案登録請求の範囲】
【請求項１】テレビまたはパソコンの表示装置である液晶画面のフレームに、色、文字、デザイン、キャラクターを、塗装または添付により設けたことを特徴とする液晶画面フレーム。
【考案の詳細な説明】
【０００１】
【考案の属する技術分野】
この考案は、パソコンやテレビの表示装置である液晶画面のフレームに関する。
【０００２】
【従来の技術】
従来、テレビは、ブラウン管・各機器が容量を取り、非常に大きく、部屋の中でも場所を取り、消えている時は、冷たく・暗いイメージがあった。
【０００３】
【考案が解決しようとする課題】
この考案は、テレビ等の固定概念を変え、消費者の個性にあったフレームを備えた液晶画面フレームを提供することを目的とする。
【０００４】
【課題を解決するための手段】
この考案は、テレビまたはパソコンの表示装置である液晶画面のフレームに、色、文字、デザイン、キャラクター商品を、塗装または添付により設けた液晶画面フレームである。
【０００５】
【発明の実施の形態】
以下、この考案の実施形態について図面に基づいて説明する。この実施形態の液晶画面フレームは、液晶画面２の周囲に位置したフレーム１に、色、文字、デザイン、キャラクター商品を、塗装または添付により設けたものである。上記液晶画面のフレーム１は、テレビまたはパソコンの表示装置についてのものである。
【０００６】
この液晶画面のフレームは、電気産業、塗装・吹き付け業、デザイン産業、家電販売業、インテリア販売業などに関連し、利用され得る。
【０００７】
【考案の効果】
この考案の液晶画面のフレームは、個性の時代に応じて、テレビへのいままでの固定観念を変えることができ、部屋のインテリアとして、好きな色を選べ、個人の感性にあわせて購入することができる。
【図面の簡単な説明】
【図１】この考案の一実施形態の液晶画面フレームを示す正面図（Ａ），（Ｂ）で、フレームの色が異なる例を示す。
【図２】この考案の他の実施形態の液晶画面フレームを示す正面図（Ａ），（Ｂ）で、フレームのデザインが異なる例を示す。
【図３】この考案の他の一実施形態の液晶画面フレームを示す正面図で、フレームに文字が設けられた例（Ａ）と、キャラクターが設けられた例（Ｂ）を示す。
【符号の説明】
１　フレーム
２　液晶画面


【手続補正３】
【補正対象書類名】図面
【補正対象項目名】全図
【補正方法】変更
【補正の内容】
【図１】
0003099349.tif 000004
【図２】
0003099349.tif 000005
【図３】
0003099349.tif 000006
(57)【要約】【課　題】本考案は、建築物、建設物、構造物等において日本古来の景観をそこなうことなく日本の落書公害を防止し落書人の心境を抑えて国民全体の心を落ちつかせるものです。【解決手段】本考案は、みかげ石調吹付剤１に透明クリヤー落書防止剤２を塗布することによって日本古来の風景、景観を損なうことなく落書防止に役立つ。【選択図】　　図２
0003099348.tif 000002
【実用新案登録請求の範囲】
【請求項１】
建築物、建設物における壁面にみかげ石模様の落書防止剤を塗布し落書を防止するものである。
【考案の詳細な説明】
【０００１】
【考案の属する技術分野】
本考案は、壁面及び構造物の落書を防止するものである。
【０００２】
【従来の技術】
建築物、建設物、構造物等においてみかげ石調吹付剤があり構造物のおいて落書防止剤があり別々に工事施工していた。
【０００３】
【考案が解決しようとする課題】
みかげ石調の吹付剤は高級感のある出来上がりであるが近年落書公害によってみかげ石調の吹付をしてももったいないとの理由から工事施工量が激減し、従来の落書防止剤では壁面が一色仕上げなので日本の景観を損ない落書下地のキャンパス状況なので落書人においては落書をする心境なのです。
【０００４】
【課題を解決する為の手段】
本考案は壁面及び構造物に対して落書人が落書をしたい心境をおさえる意味での豪華なみかげ石調の仕上げにして落書をしてもただちに消せる落書防止剤を合成する。
【０００５】
【考案の実施の形態】
従来よりある、みかげ石調吹付剤の表面に落書防止剤の透明なクリヤー状の塗材を塗布するものである。
【０００６】
【実施例】
以下、添付図面に従って一実施例を説明する。
１、　ウレタン樹脂系の塗装剤を乾燥後粉砕したものをアクリル樹脂系の樹脂と混合して吹付けする
２、　透明なクリヤー状のシリコン樹脂系落書防止剤か透明なフッ素系落書防止剤を塗布したものである。
【考案の効果】
上述の様に、本考案のみかげ石調落書防止剤は落書人の心境の変化をうながし、落書をしてもすぐに消せるという利点は基より日本の国の和風建設物、和風構造物の景観を損なうことなく日本の風土にあった考案なのです。
【図面の簡単な説明】
【図１】本考案のみかげ石調落書防止剤の一実施例を示す正面図である。
【図２】本みかげ石調落書防止剤の一部切欠断面図である。
【符号の説明】
１　みかげ石調吹付剤。（コテ塗も可能）
２　透明落書防止剤。
【図１】
0003099348.tif 000003
【図２】
0003099348.tif 000004
【手続補正書】
【提出日】平成15年9月1日(2003.9.1)
【手続補正１】
【補正対象書類名】明細書
【補正対象項目名】実用新案登録請求の範囲
【補正方法】変更
【補正の内容】
【実用新案登録請求の範囲】
【請求項１】
みかげ石調吹付剤が吹付けられた壁面に透明なクリヤー状の落書防止剤を塗布した建設物及び構造物。
(57)【要約】【課題】本考案は、一般家庭において、パスタ、麺類等の全体を均一に茹で上げ、茹で上がった段階では素早く湯切りして、上手く茹でることのできる便利な鍋を提供することを目的とする。【解決手段】鍋本体１と該鍋本体１に係脱可能に嵌合し得る鍋蓋４とからなり、該鍋蓋４の全面、又は、略半円部位、その他任意部位にパスタ、麺類の太さより若干小径に設定して湯切り時にパスタ、麺類を外部に流出させることのないように構成してなる湯切り用穴７を点在形成したことを特徴とする。【選択図】　　　　図１
0003099344.tif 000002
【実用新案登録請求の範囲】
【請求項１】
鍋本体１と該鍋本体１に係脱可能に嵌合し得る鍋蓋４とからなり、該鍋蓋４の全面、又は、略半円部位、その他任意部位にパスタ、麺類の太さより若干小径に設定して湯切り時にパスタ、麺類を外部に流出させることのないように構成してなる湯切り用穴７を点在形成したことを特徴とする鍋。
【考案の詳細な説明】
【０００１】
【考案の属する技術分野】
本考案は、パスタ、麺類等を茹でるのに好適な鍋に関するものである。
【０００２】
【従来の技術】
従来、パスタ、麺類等を茹でようとする場合、営業用の専用鍋、専用ざる等の調理用具を持たない一般家庭にあっては、パスタ、麺類等の全体を均一に茹で上げ、茹で上がった段階では素早く湯切りして、上手く茹でることはきわめて困難であった。
【０００３】
【考案が解決しようとする課題】
本考案は、如上の問題点を背景としてこれを解消すべく案出したものであって、一般家庭においてパスタ、麺類等の全体を均一に茹で上げ、茹で上がった段階では素早く湯切りして、上手く茹でることのできる便利な鍋を提供することを目的とするものである。
【０００４】
【課題を解決するための手段】
本考案は、鍋本体１と該鍋本体１に係脱可能に嵌合し得る鍋蓋４とからなり、該鍋蓋４の全面、又は、略半円部位、その他任意部位にパスタ、麺類の太さより若干小径に設定して湯切り時にパスタ、麺類を外部に流出させることのないように構成してなる湯切り用穴７を点在形成したことを最も主要な特徴とするものである。
【０００５】
【考案の実施の形態】
以下、本考案の実施の形態を実施例に基づき図面を参照して説明する。
【０００６】
【実施例】
図１は本考案の実施例を示す鍋本体に鍋蓋を係合した状態の平面図、図２は鍋本体の平面図、図３は鍋本体の縦断面図、図４は鍋蓋の側面図であり、１は鍋本体、２は把手、３は係合突起、４は鍋蓋、５は裾部、６は係合凹溝、７は湯切り穴、８はつまみである。
【０００７】
鍋本体１は、図２及び図３に示すように、その外周面上部の直径線上に把手２、２を対設していると共にその内周面上部の直径線上には係合突起３、３を対設している。
【０００８】
鍋蓋４は、図４に示すように、鍋本体１の上端内側縁に嵌合させる下縁裾部５を有すると共に該下縁裾部５における所定の直径線上には前記係合突起３、３に対応するＬ字状の係合凹溝６、６を設けており、該係合凹溝６、６を鍋本体１の係合突起３、３に合致させて該鍋蓋４を押下した後に水平方向に若干回動させることによって、鍋蓋４を鍋本体１に一体的に係合状態で嵌合することができる。また、これを逆方向に操作することによって鍋蓋４を鍋本体１から容易に離脱させることができるよう係脱可能に嵌合し得るよう構成している。
【０００９】
また、鍋蓋４の略半円部位に湯切り穴７を多数点在形成している。該湯切り穴７の大きさはパスタ、麺類の太さより若干小さくして、湯切り時にパスタ、麺類を外部に流出させることのないように設定している。
【００１０】
尚、図中８は摘みを示す。
【００１１】
上記の構成において、先ず、鍋本体１内でパスタ、麺類を茹で上げる段階では、鍋本体１内での熱湯の対流循環を阻害するようなザルを内装していないので、適正な対流循環が発生してパスタ、麺類の全体を均一に茹で上げることができる。
【００１２】
次に、鍋蓋４を鍋本体１に一体的に係合した状態下で、鍋本体１内でパスタ、麺類が茹で上がった段階では、把手２、２を持って鍋本体１をそのまま持ち上げて、湯切り穴７が下側に位置するように傾ければ、別途ザルに移し変える手間もなしにそのまま簡便にきわめて素早く湯切りすることができる。
【００１３】
このようにして湯切りした後には、鍋蓋４を鍋本体１から離脱させて茹で上がり湯切りしたパスタ、麺類を外部に取り出すことができる。
【００１４】
本実施例においては、湯切り穴７を点在形成する鍋蓋４上の範囲は、鍋蓋４の略半円部位であるが、鍋蓋４上のほぼ全面に亘って湯切り穴７を点在形成してもよく、その設定範囲は任意である。
【００１５】
また、鍋蓋４の裏面に裏蓋を揺動調節可能に枢着する等の二重構造の鍋蓋となして、湯きり穴７を必要に応じて塞ぎ得るように調節可能に構成することも可能である。
【００１６】
本考案に係る鍋は、パスタ、麺類を茹でるにきわめて好適であるが、それ以外の茹でる、煮る、蒸す、煮込む等の各種調理にも幅広く多用途的に使用することができる。
【００１７】
【考案の効果】
本考案の鍋は、以上説明したように構成されているので、パスタ、麺類を茹でる際にもザルを一切使用する必要がないので、茹で上げる段階では鍋本体１内での熱湯の対流循環が阻害されることなく適正に行われて全体を均一に茹で上げることができると共に茹で上がった段階ではザルに移し変える手間もなくそのまま素早く湯切りすることができて、パスタ、麺類を茹でる際の調理工程を簡略化、迅速化でき、また、ザルを洗滌する後始末も省略できる等一般家庭において使用する鍋としてきわめて利便である。また、構造簡単にして廉価に製作、提供することができる等の優れた実用的効果を奏する。
【図面の簡単な説明】
【図１】本考案の実施例を示す鍋本体に鍋蓋を係合した状態の平面図である。
【図２】鍋本体の平面図である。
【図３】鍋本体の縦断面図である。
【図４】鍋蓋の側面図である。
【符号の説明】
１　　鍋本体
２　　把手
３　　係合突起
４　　鍋蓋
５　　裾部
６　　係合凹溝
７　　湯切り穴
８　　つまみ
【図１】
0003099344.tif 000003
【図２】
0003099344.tif 000004
【図３】
0003099344.tif 000005
【図４】
0003099344.tif 000006
(57)【要約】　　　（修正有）【課題】脚立が作業対象物に接触しても傷がつかず、取付が簡単で、脚立を作業対象物に近づけて作業ができるので作業が楽になる。【解決手段】ウレタン製で脚立に取り付ける方を蟹のハサミ状にして、それを広げて脚立に取り付けられる。衝撃を和らげる為に穴を開けてある。【選択図】　　図１
0003099341.tif 000002
【実用新案登録請求の範囲】
【請求項１】
ウレタン製で、高所作業をする際に脚立を用いるが、其の時に本品の爪部分を脚立に装着する事により、脚立が作業している対象物に接触しても先端部分でガードするため、対象物に傷がつかないように考案された道具であります。
【考案の詳細な説明】
【０１】
【産業上の利用分野】この考案は高所作業をする際に脚立を使うが、うっかりすると脚立を対象物にぶつけてしまい、対象物に傷をつけてしまう事があるので、本品を装着すればその様な事を未然に防げる製品であります。
【０２】
【従来の技術】従来は脚立に布みたいな柔らかい物をテープ等で予め止めておく必要があった。
【０３】
【考案が解決しようとする課題】
従来の方法では次の様な欠点があった。
（ア）高所作業をする際に脚立による対象物への傷を防ぐ為に事前に脚立に布みたいに柔らかい物を取り付けておかねばならなかった。
（イ）テープで取り付けると時間が経つにつれて前述の物がとれ、その跡が汚くなってしまう。
（ウ）脚立に何も取り付けておかないと対象物より離して置くため作業がやりづらくなる。
（エ）脚立の接触により傷をつけるとその復旧にかなりの手間と費用をかけなければならない。
【０４】
【問題を解決するための手段】
（ア）脚立の接触による傷を防ぐための保護材を取り付ける手間が要らない。
（イ）脚立を対象物に近づけて作業ができるため、楽に作業ができる。
【０５】
【作用】
（ア）本品により、脚立の接触による傷を防ぐための事前の作業が必要なくなる。
（イ）本品を装着する事により、うっかり脚立が作業の対象物に接触しそうになっても本品の柔らかい部分がガードするので安心して脚立を近づけて作業ができる。
【０６】
【実施例】
以下、本案の実施例について説明する。
脚立に取り付ける部分（はさみ部分）は爪状にしてあるのでそれを広げて取り付ける。
取り付ける位置は脚立突起部分の近くの位置とする。
取り付ける位置は脚立突起部分の近くの位置とする。
【０７】
【考案の効果】
（ア）本品は手軽に装着できるので、保護材を取り付ける煩わしさが無い。
脚立による損傷を本品は防ぐ事ができるので、脚立を作業対象物に近づけて安心して作業ができる。
（イ）はさみ部分の下に穴を設ける事により、衝撃を和らげ、且つ、はさみ部分が広げ易くなった。
【図面の簡単な説明】
【図１】本案の構成図
【図２】全体の断面図
【図３】全体の組み付け図
【符号の説明】
【図１】
0003099341.tif 000003
【図２】
0003099341.tif 000004
【手続補正書】
【提出日】平成15年8月13日(2003.8.13)
【手続補正１】
【補正対象書類名】明細書
【補正対象項目名】実用新案登録請求の範囲
【補正方法】変更
【補正の内容】
【実用新案登録請求の範囲】
【請求項１】
脚立を用いて作業をする際に脚立が対象物に当たり傷をつけることがあるが、本品を脚立に取り付ける事により傷を防ぐ物であり、下記にその特徴を記す。
・脚立に装着するために爪状のはさみ部を有する。
・爪状のはさみ部の上部に穴を設けることにより爪部分を拡げ易くなる。
・適度の硬さを持たせているウレタン製の保護材である。
【手続補正２】
【補正対象書類名】明細書
【補正対象項目名】図３
【補正方法】削除
【補正の内容】
(57)【要約】【課題】本考案は、手軽に凧合戦をおこなうため、小型凧に人工風を送り、揚力を与える送風機に携帯型のものを用い、小型凧と携帯型送風機の間を支持繊維でつなぐことで、各競技用の小型凧に対し、それぞれ専用の揚力・競技方向を生じさせる人工風を用意し、かつ、競技者が送風機本体を動かす手の動きを支持繊維で小型凧本体に伝えることを可能とするもので、送風機の風向・風力の調整という機械的操作をしながら、小型凧の姿勢・浮遊軌道制御という競技者の技術的操作を同時に手元でおこなえることを主要な特徴とする。【解決手段】送風機２は、小型凧１に専用の揚力・競技方向を与える風力・風向を持つ人工風３を送り、両者を繋ぐ支持繊維４が小型凧の飛散を防ぐとともに、送風機２に競技者が与える動きを小型凧１に伝播させて、姿勢・浮遊軌道制御をおこなうことを特徴としている。【選択図】　　図１
0003099343.tif 000002
【実用新案登録請求の範囲】
【請求項１】
携帯型送風機より発生する風により、小型凧に専用の揚力を与え、小型凧を浮揚させ、携帯型送風機を支持繊維により小型凧と繋ぐことにより、送風機の操作と小型凧の姿勢・浮遊軌道制御を連携させることにより、無風状態、および、支持繊維の長さにより生ずる限定空間内で凧合戦競技をおこなうことを特徴とする遊戯具。
【考案の詳細な説明】
【０００１】
【考案の属する技術分野】
本考案は、凧合戦を容易に競技することが可能な遊戯具に関するものである。
【０００２】
【従来の技術】
凧合戦は、古来よりの技術である凧を用い、自然風により揚力を得て、また、自然風を得るために必要な空間を確保する必要から、屋外にて競技がおこなわれている。
【０００３】
しかし、自然環境状況により競技時期が限定されてしまい、また、広範な競技空間を必要とする欠点があった。
【０００４】
昨今の一般的な住宅状況において、この欠点は、競技に関して大きな障害である。具体的には、恣意的な競技意思に対して、随時、広範な競技空間を用意することが困難であるという問題があった。
【０００５】
この改善策として、送風機により、凧に揚力を得るための人工風を生じさせ、この人工風でも揚力を得られる大きさに凧を小型化する方法がある。図１はこの方法による小型凧を浮揚させるための説明図であって、競技方向に対して垂直な平面による断面図である。図３で、１は小型凧、２は送風機、３は人工風である。しかし、この方法でも、送風機と凧の設置位置によって、競技用の複数の凧すべてに同程度の風力を与えることは困難であり（図３のＱ部）、競技方向も送風の方向に限定されてしまう。
【０００６】
【考案が解決しようとする課題】
解決しようとする問題点は、競技する小型凧すべてに対して個別に揚力を得るための人工風が用意されていない点である。また、送風機の風向・風力の操作をしながら、小型凧の操作を同時におこなわなければならず、操作が煩雑である点である。
【０００７】
【課題を解決するための手段】
本考案は、送風機に携帯型のものを用い、小型凧と携帯型送風機の間を支持繊維でつなぐことで、各競技用の小型凧に対し、それぞれ専用の揚力・競技方向を生じさせる人工風を用意し、かつ、競技者が送風機本体を動かす手の動きを支持繊維で小型凧本体に伝えることを可能とし、送風機の風向・風力の調整という機械的操作をしながら、小型凧の姿勢・浮遊軌道制御という競技者の技術的操作を同時に手元でおこなえることを主要な特徴とする。
【０００８】
【考案の実施の形態】
小型凧に揚力を与える個別の人工風の供給、人工風の風向・風力の操作と、小型凧の姿勢・浮遊軌道制御を同時におこない、凧合戦を無風の限定空間内で競技するという目的を、最小の部品点数で実現した。
【０００９】
【実施例】
図１は、本考案実施例の断面図であって、１〜３は、図３と同様である。また、４は支持繊維である。図２は、図１方向での競技者に相対する方向での本考案実施例の断面図であって、１〜４は、図１と同様である。
【００１０】
送風機２は、小型凧１に専用の揚力・競技方向を与える風力・風向を持つ人工風３を送り、両者を繋ぐ支持繊維４が小型凧の飛散を防ぐとともに、送風機２に競技者が与える動きを小型凧１に伝播させて、姿勢・浮遊軌道制御をおこなう。本考案の主体は、送風機と小型凧を支持繊維で一体化させて、携帯遊戯具とする実装方法にあるので、流体力学的凧浮揚の原理、送風機の電子、機構系の説明は省略する。
【００１１】
図２の競技者は、専用の人工風を持つため、図１の競技者と異なる方向・風力で競技に参加することができ、たがいの小型凧で合戦させることができる。
【００１２】
【考案の効果】
以上説明したように本考案の凧合戦携帯遊技機は、各個別専用の風力・風向を持った人工風で、各競技者がそれぞれ小型凧を揚げることができ、無風の室内で恣意的に競技を楽しむことができるという利点がある。また、送風機と小型凧が支持繊維で繋がり一体化していることにより、人工風の操作と小型凧の操作を容易に、手元で同時におこなうことによって、大がかりな装置を必要とせず、広範囲な競技機会に適用できる。
【図面の簡単な説明】
【図１】凧合戦携帯遊技機の使用方法を示した説明図である。
【図２】図１の使用者である競技者と、異なる方向で本考案を使用する競技者が競技する状況を示した説明図である。
【図３】本考案を使用せずに、人工風で小型凧を揚げる方法の説明である。
【符号の説明】
１　小型凧
２　送風機
３　人工風
４　支持繊維
【図１】
0003099343.tif 000003
【図２】
0003099343.tif 000004
【図３】
0003099343.tif 000005
【手続補正書】
【提出日】平成15年8月29日(2003.8.29)
【手続補正１】
【補正対象書類名】明細書
【補正対象項目名】実用新案登録請求の範囲
【補正方法】変更
【補正の内容】
【実用新案登録請求の範囲】
【請求項１】
風を発生させるための携帯型送風機と、前記携帯型送風機により発生される風により浮揚する小型凧と、前記携帯型送風機と前記小型凧とを接続する支持繊維からなり、前記携帯型送風機より発生する風により、前記小型凧に揚力を与えて浮揚させ、前記携帯型送風機を前記支持繊維により前記小型凧と繋ぐことにより、前記携帯型送風機の操作と前記小型凧の姿勢・浮遊軌道制御を連動させたことを特徴とする遊戯具。
(57)【要約】　　　（修正有）【課題】従来の単に一人で嗜むゲームでなく対立者と競うパチンコ機を提供する。【解決手段】１、従来のパチンコは只一人で嗜むが、本考案は対立者間で競うから、孤独感がない。換言すれば、対立者がいる事を発想の原点としている。２、打ち玉の入る穴を本人の穴と相手の穴とに明別する。３、打ち玉を出玉と流れ玉の径路に分けて流す玉が穴に入った直後、出玉と流れ玉に区別される。４、従来のゲームの操作と情緒において特別の差はない。５、本人の打ち玉と相手の玉を明別する。従って受け取る玉も明別している。６、勝負は出玉の数の多少で定める。７、従来の単人で嗜むよりバラエティーがあり、興味を倍加する。８、トーナメント戦等が可能である。【選択図】　　なし【実用新案登録請求の範囲】
【請求項１】
壱台のパチンコ機で相手と競うを嗜むパチンコ。
【考案の詳細な説明】
【０００１】
【従来の技術】壱台の機械を一人だけで嗜む事で成立している。
【０００２】
【考案が解決しようとする課題】壱台のパチンコ機で相手と競うを発想の原点とする。
【０００３】
【課題を解決するための手段】図１、平面図。図２、分解図が示す。
【０００４】
【考案の実施の形態】図２、で示す。
【０００５】
【実施例】従来のパチンコと同じ。
【０００６】
【考案の効果】対立者間で競そうから嗜みにバラエテーがあり、興味を倍加する。
【図面の簡単な説明】
【図１】「図１は平面図である。」
【図２】「図２、は分解図である。」
【符号の説明】
１、図１、上で示す。
２　図２、上で示す。
【図１】
0003099346.tif 000002
【図２】
0003099346.tif 000003
【手続補正書】
【提出日】平成15年8月5日(2003.8.5)
【手続補正１】
【補正対象書類名】明細書
【補正対象項目名】請求項１
【補正方法】変更
【補正の内容】
【請求項１】
発進用レバーを２個有し、壱台のパチンコ機で相手と競うを嗜むパチンコ
【手続補正２】
【補正対象書類名】図面
【補正対象項目名】図１
【補正方法】変更
【補正の内容】
【図１】
0003099346.tif 000004
【手続補正３】
【補正対象書類名】明細書
【補正対象項目名】図１
【補正方法】変更
【補正の内容】
【図１】
１．２個ある発進用レバーを競技者が交互に発進する．
２．打玉がＨに入いると出玉はＴに流れる．
３．Ｔに流れた出玉はパチンコ板の裏側に設置されたカウンターで出玉の数が計算されてＣのカウント表示板に合計数が表示される．
４．カウント表示板は競技者Ａの時と競技者Ｂの時で区別している．
５．此の区別は発進用レバーを発進する時、レバーの隣りに取付けてあるボタンＳで操作する。
６．Ａ者が発進する時Ａ者のボタンを押すとＡ者のカウンターが作動し、Ｂ者が発進する時Ｂ者のボタンを押すとＢ者のカウンターが作動する．
７．ボタンとカウンターは電動的に作動する．
８．パチンコ板の裏に取付けてあるカウンター装置はＡ者用とＢ者用のとで２個設置している。
９．本考案の本旨は脱金銭でパチンコを嗜むにある。
(57)【要約】　　　（修正有）【課題】学習データを自動編集作成する。【解決手段】ブラウザー上に入力フォームを表出し、そこに必要な学習データを入力し、入力された学習項目毎のデータをサーバに転送する。サーバでは予め用意されたプログラムを使いそのデータを基に学習データの追加・訂正・削除の編集と重み付け（重要度区分）を行う。その後、編集されたデータを出力する。【選択図】図２
0003099350.tif 000002
【実用新案登録請求の範囲】
【請求項１】
編集前学習データを入力し編集（追加・訂正・削除）・重み付けデータに変換後、編集後データとして出力するプログラム、そのプログラムを使うサーバー装置、出力するのに必要なデータにするブラウザで構成される装置。
【考案の詳細な説明】
ブラウザー上に入力フォームを表出し、そこに必要な学習データを入力し、入力された学習項目毎のデータをサーバに転送する。サーバでは予め用意されたプログラムを使いそのデータを元に学習データの編集（追加・訂正・削除）と重み付け（重要度区分）を行う。その後、編集されたデータを出力する。
【考案の属する技術分野】学習用デジタルデータ処理方法。
【従来の技術】学習データを手作業で編集し編集データを手作業文書で作成。
【考案が解決しようとする課題】
学習データを自動編集作成する。
【課題を解決するための手段】
学習データを編集し編集後データを自動作成するためのプログラム。
【考案の実施の形態】
プログラム、サーバ、ブラウザ。
【考案の効果】
手作業で行っていた学習データの編集と編集後のデータの作成をサーバにインストールされたプログラムを使い全て自動的に編集することで作業時間が短縮され正確な学習データが作成出来る。
【図面の簡単な説明】
【図１】考案の内容を示すフロー図である。
【図２】考案した内容の構成を示す図である。
【符号の説明】
ブラウザ上でデータ入力フォームから学習データを入力する（
【図１】
【図２】（１））。入力されたデータをサーバ（
【図２】（３））に転送する。サーバで予め用意されたプログラム（
【図２】（２））を使いブラウザ上で学習項目毎のデータを編集（追加・訂正・削除）し重み付け（重要度区分）を行う（
【図１】（２））。編集されたデータを作成する（
【図１】（３））。作成された編集後のデータを出力する（
【図１】（４））。
【図１】
0003099350.tif 000003
【図２】
0003099350.tif 000004
【手続補正書】
【提出日】平成15年8月6日(2003.8.6)
【手続補正１】
【補正対象書類名】明細書
【補正対象項目名】実用新案登録請求の範囲
【補正方法】変更
【補正の内容】
【実用新案登録請求の範囲】
【請求項１】
編集前学習データの入力をブラウザにて行い、入力された学習データをサーバー装置に転送し、サーバー装置において、所定のプログラムに従って、該データを元に追加・訂正・削除の編集と、重み付けを行い、編集後データをサーバー装置からブラウザに転送し、ブラウザにおいて、編集後のデータを出力する装置。
(57)【要約】　　　（修正有）【解決手段】空気が充填された第一ブラダ及び空気が充填された第二ブラダを有する空気充填基部１０を含み、第一ブラダ及び第二ブラダは基部の最上部に結合されてなるパッド組立体。第一液体充填部２０は、第一ブラダの凹部内に置かれ、第二液体充填部２０’は、第二ブラダの凹部内に置かれる。第一部及び第二部は、使用者の胴体及び臀部をそれぞれ支持する。基部は、フレーム１００に支持され、フレーム上にはスイング運動器具２００が置かれ、使用者がブラダ上に横たわって足部をスイング運動器具に載せる。【効果】この揺れ運動が使用者の胴体を揺らし、低温の二つの部２０，２０’が使用者に好ましく心地よい感覚を提供する。遠赤外線プレートは、使用者の血液の循環を促進する。【選択図】　　図３
0003099122.tif 000002
【実用新案登録請求の範囲】
【請求項１】
第一ブラダ(bladder)及び第二ブラダ(bladder)を有する基部にして、前記第一ブラダ及び前記第二ブラダが前記基部の最上部に結合され、前記基部と前記第一ブラダと前記第二ブラダのそれぞれが空気充填部材であって独自の吸気口を有する基部と、
　前記第一ブラダの凹部内に置かれる第一部、及び前記第二ブラダの凹部内に置かれる第二部にして、それぞれに液体が充填される第一部及び第二部と、
　を備える、パッド組立体。
【請求項２】
前記第一部及び前記第二部に結合された遠赤外線プレートを更に備える、請求項１に記載のパッド組立体。
【請求項３】
第一ブラダ及び第二ブラダを有する基部にして、前記第一ブラダ及び前記第二ブラダが前記基部の最上部に結合され、前記基部と前記第一ブラダと前記第二ブラダのそれぞれが空気充填部材であって独自の吸気口を有する基部と、
　前記基部を載置するフレームと、
　前記第一ブラダの凹部内に置かれる第一部、及び前記第二ブラダの凹部内に置かれる第二部にして、それぞれに液体が充填される第一部及び第二部と、
　前記フレームの端部に置かれ、前記フレーム上で前記基部とは反対側に位置するスイング運動器具(Swing Exerciser)と、
　を備える、パッド組立体とスイング運動器具との組み合わせ。
【請求項４】
前記第一部及び前記第二部に結合された遠赤外線プレートを更に備える、請求項３に記載のパッド組立体。
【考案の詳細な説明】
【技術分野】
【０００１】
　本発明は、空気充填基部と、使用者の胴体及び臀部をそれぞれ支持する二つの液体充填部とを含むパッド組立体に関する。ここで、使用者の両足はスイング運動器具上に置かれる。
【背景技術】
【０００２】
　従来の空気充填パッドは、一般に、複数の中空の管状部分を含み、大面積のパッドとして組み立てることができるように、これらの管状部分には空気が充填される。空気は、圧縮可能であることから、使用者がパッド上に横たわる時、重量の大きい上半身が下半身よりも大きな荷重をパッドに加えるため、空気は下半身に向かって圧搾され、使用者の頭部は足部よりも低くなる。足部よりも低い位置にある頭部に血液が流れ込むため、使用者は、不快感を覚える。従来のパッドは、優れた睡眠品質を使用者に提供することができない。
【考案の開示】
【０００３】
　本発明は、空気充填基部と、基部の二つの凹部に置かれ、使用者の胴体及び臀部をそれぞれ支持する二つの液体充填パッドを含むパッド組立体を提供することを目的としている。使用者の足部は、スイング運動器具によって揺らされるため、使用者の胴体は涼しく快適な動きを感じるようになる。
【０００４】
　本発明の一態様によれば、第一ブラダ及び第二ブラダを有する基部を備えたパッド組立体が提供され、第一ブラダ及び第二ブラダは基部の最上部に結合される。基部、第一ブラダ、及び第二ブラダのそれぞれは、独自の吸気口を有する。第一部は、第一ブラダの凹部内に置かれ、第二部は、第二ブラダの凹部内に置かれる。第一部及び第二部のそれぞれには、液体が充填される。　　　　　　　　　　
【０００５】
本発明は、本発明による好適な実施形態を例示の目的でのみ図示する添付図面と併せて理解することで、以下の説明から更に明らかとなろう。
【考案を実施するための最良の形態】
【０００６】
　図１及び２を参照すると、本発明のパッド組立体は、第一ブラダ１２及び第二ブラダ１３を有する基部１０を備え、第一ブラダ１２及び第二ブラダ１３は基部１０の最上部に結合される。基部１０、第一ブラダ１２、及び第二ブラダ１３のそれぞれは、内部に空気を充填するために独自の吸気口１１／１２１／１３１を有する。第一ブラダ１２の長さは、第二ブラダ１３のものより長く、二つのブラダ１２、１３に充填された空気は、第一ブラダ１２及び第二ブラダ１３のそれぞれの最上部に凹部１２２／１３２を形成するように制御される。
【０００７】
　第一部２０は、第一ブラダ１２の凹部１２２内に置かれ、第二部２０'は、第二ブラダ１3の凹部１３２内に置かれる。第一部２０及び第二部２０'のそれぞれは、内部に液体を充填するために液体注入口２１／２１'を有する。複数の遠赤外線プレート２２、２２'が、第一部２０及び第二部２０'に結合され、第一部２０及び第二部２０'のそれぞれは、凹部１２２、１３２内で上手く配置できるように、滑り止め面２３／２３'を更に含む。
【０００８】
　図３に示すように、基部１０は、延長部位を有するフレーム１００上に置かれ、延長セクションには、スイング運動器具２００が置かれ、これはフレーム１０上で基部１０とは反対側の端部に位置する。使用者は、基部１０及び二つの部分２０、２０'の上に横たわり、この状態において、第一部２０は使用者の胴体を支持し、第二部２０'は使用者の臀部を支持する。両足は、スイング運動器具２００の上に置かれ、この揺れ運動が使用者の胴体を揺らし、低温の二つの部２０、２０'が使用者に好ましく心地よい感覚を提供する。遠赤外線プレート２２、２２'は、使用者の血液の循環を促進する。
【０００９】
　本発明による実施形態について、図示と説明をしてきたが、本発明の範囲から逸脱することなく別の実施形態を構成し得ることは、当業者には明らかであろう。
【図面の簡単な説明】
【００１０】
【図１】本発明の基部及び二つの部分を示す分解図である。
【図２】本発明の基部上に二つの部分を置いた状態を示す斜視図である。
【図３】基部をフレームの上に置き、使用者が二つの部分上に横たわり、使用者の足部をスイング運動器具上に置いた状態を示す図である。
【符号の説明】
【００１１】
　１０　　　基部 
　１１　　　吸気口
　１２　　　第一ブラダ
　１３　　　第二ブラダ
　１００　　フレーム
　１２１　　吸気口
　１２２　　凹部
　１３１　　吸気口
　１３２　　凹部　
　２０　　　第一部
　２０’　　第二部
　２１　　　液体注入口
　２１’　　液体注入口
　２２　　　遠赤外線プレート
　２２’　　遠赤外線プレート
　２３　　　滑り止め面
　２３’　　滑り止め面
　２００　　スイング運動器具
【図１】
0003099122.tif 000003
【図２】
0003099122.tif 000004
【図３】
0003099122.tif 000005
(57)【要約】
【課題】本考案はテイクアウト用の飲み物を、蓋に氷別納用袋を設けることにより氷が溶けることによって生じる飲み物の濃度が薄くなる事を解決する。
【解決手段】本考案は使い捨てカップ用の蓋５に氷別納袋１を設け、蓋５をカップ内に注がれた飲み物に氷を入れた袋１が浸るように装着する。カップ内の飲み物と氷を別けることによってカップ内の飲み物を冷やし、且つ濃度を保とうとするもである。また、現行の使い捨てカップにかぶせるだけなので低コストにて導入可能である。
【選択図】図１
0003099126.tif 000002
【実用新案登録請求の範囲】
【請求項１】
　紙コップ用の蓋に氷を入れるラップ状の袋を設け、時間が経過し氷が溶けたときにカップ内の飲み物の濃度が薄くなる事を解消できる氷別納袋付使い捨てカップ用の蓋
【考案の詳細な説明】
【技術分野】
【０００１】　本考案は、氷別納袋を設けた使い捨てカップ用の蓋に関するものである。
【背景技術】
【０００２】　映画鑑賞、ドライブ等において使い捨てカップの飲み物を購入し一定時間放置した場合内容物の濃度が薄くなり飲み残していた。
【考案の開示】
【考案が解決しようとする課題】
【０００３】　購入する時に最初から氷を入れることを拒否して問題解決をしようとした場合、購入側は時間経過とともに飲み物の濃度は変わらないが温度は冷たく保たれない。また、販売側は氷を入れて販売するときと比べ内容物の見かけの量を増やさなければならないため、飲み物は必然的に多くなりコスト的にロスをしてしまう。従ってカップ内の飲み物と氷を別けることによって購入側の前途の欠点を解決しようとし、また販売側のコストも保持しようとするものである。
【課題を解決するための手段】
【０００４】　本考案は、テイクアウト用カップの蓋にラップ状の氷別納袋を設け、氷を入れたその袋をカップ内の飲み物に浸るように垂らす。カップ内の飲み物を冷却後、氷が溶けてもカップ内で飲み物と氷を別けていることで問題点を解決している。
【考案の効果】
【０００５】　上述の様に、本考案の氷別納袋付き使い捨てカップ用の蓋は、カップ内の飲み物がこぼれるのを防ぐこと、カップ内にゴミ等が入るのを防ぐことは勿論、飲み物と氷を別けているため時間が経過しても濃度を保ったまま冷えた飲み物を提供できる。また、袋内に入れるものは普通の氷でよいため、袋が破損した場合に内容物が流出しても安全である。この問題の他のどの解決法よりも容易で安価にすむためコスト面でも優良である。
【考案を実施するための最良の形態】
【０００６】　蓋の中心部に適当な大きさの切り込みを設け、そこより下に向けラップ状の袋を設ける。カップが転倒した場合に切り込み部より袋内の内容物が流出するのを軽減させるため袋の上部に適当な大きさの穴を設けカップ内に逃がすようにする。又、飲み物を飲むときにストローの先より袋を吸引してしまうのを防ぐため、袋の丈はカップの深さにに合わせカップの底より２、３ｃｍ上に袋の底が宙に浮くように設計する。
【実施例】
【０００７】　以下、添付図面に従って一実施例を説明する。１にはポリ塩化ビニリデン等の柔軟な適宣素材を用いる。１は柔軟な素材で作製するため５は重ねて保管することができる。現行のカップに飲み物を注ぎカップのサイズにあわせて作製した氷別納袋付き蓋をかぶせ、２の氷投入切り込みより氷を投入する。カップ内の飲み物の水圧により１内の空気が押し出され氷と飲み物を１の素材を隔てて密着する。３にストローを差し込み飲み物を吸引する。【０００８】　カップが転倒した場合にカップ内の飲み物の流出はカップと蓋を密着し現行通り防止し袋内の氷又は水は４の穴を設けることによってカップ内の袋の外側へ逃がす仕組みになっている。
【図面の簡単な説明】
【０００９】
【図１】本考案の氷別納袋付き使い捨てカップ用の蓋の一実施例を示す側面図である。
【図２】本考案の蓋を上から見た図である。
【符号の説明】
【００１０】ｌ　氷別納袋
２　氷投入口切り込み
３　ストロー口
４　袋内容物逃がし口
５　使い捨てカップ用の蓋
【図１】
0003099126.tif 000003
【図２】
0003099126.tif 000004
(57)【要約】
【目的】　この考案は、臭いの成分となる油分や不純物を水とフィルターによって取り除く機器に関するものである。
【構成】機器の下部に空気の取り込み口（１）を設け、その上部に噴霧ノズル（３）を取り付け、噴霧ノズル（３）の上部にパンチングプレート（４）を取り付ける。パンチングレート（４）の上部に、ボックス型バッフルフィルター（６）、さらにその上部に、プレート型バッフルフィルター（７）をセットして、機器の上部に空気の噴出し口（８）を設ける。機器の底部に、排水口（９）を設ける。
【選択図】　図１
0003099125.tif 000002
【実用新案登録請求の範囲】
【請求項１】
（イ）空気の取り込み口（１）の上部に給水接続口（２）を設け、内部に噴霧ノズル（３）を取り付ける。
（ロ）噴霧ノズル（３）の上部に、細かい穴の開いた、パンチングプレート（４）を取り付ける。
（ハ）パンチングプレート（４）の上部に、受け板（５）を取付けて、ボックス型バッフルフィルター（６）をセットする。
（ニ）ボックスフィルター（６）の上部に、さらに受板（５）を取付けて、プレート型バッフルフィルター（７）をセットする。
（ホ）プレート型バッフルフィルター（７）の上部に、空気の吹出し口（８）を設ける。
（ヘ）機器の最下部に、排水口（９）を設ける。
以上のように構成された排煙消臭機
【考案の詳細な説明】
【考案の詳細な説明】
【産業上の利用分野】
【０００１】この考案は、室内から強制的に排出した空気を取り込み、通過させることにより、臭いの成分となる、油分や不純物を取り除く機器に関するものである。
【背景技術】
【０００２】近年、悪臭公害の規制を求める声は大きくなる一方であり、悪臭防止法が制定されたにもかかわらず、飲食店や工場からでる煙や臭いを取り除く為の機器は、規制基準をクリアーできないものが多く、消臭効果の高いものはフィルター交換などによるランニングコストが非常に高い。
【考案が解決しようとする課題】
【０００３】本考案は、こうした悪臭の規制基準を満たすことのできる、消臭効果の高い機器を開発しようとするものである。
【課題を解決する為の手段】
【０００４】その方法を、説明すると、
（イ）空気の取り込み口（１）の上部に給水接続口（２）を設け、内部に噴霧ノズル（３）を取り付ける。
（ロ）噴霧ノズル（３）の上部に、細かい穴の開いた、パンチングプレート（４）を取り付ける。
（ハ）パンチングプレート（４）の上部に、受け板（５）を取付けて、ボックス型バッフルフィルター（６）をセットする。
（ニ）ボックス型バッフルフィルター（６）の上部に、さらに受板（５）を取付けて、プレート型バッフルフィルター（７）をセットする。
（ホ）プレート型バッフルフィルター（７）の上部に、空気の吹出し口（８）を設ける。
（ヘ）機器の底部に排水口（９）を設ける。
以上のように装置する。
【作用】
【０００５】上記のように形成された装置の取込み口に、室内からの排気ダクトを接続し、吹出し口に接続したダクトを、送風機に接続する。給水接続口に給水管を接続して、給水と送風機を同時に稼動させると、次のような作用が起きる。
１．送風機によって強制的に取込まれた空気が、噴霧ノズルからの霧状の水の中を通り、水と混合される。
２．パンチングプレートの小さな穴を通過する際、急激に圧縮され、水に油分や塵埃が取込まれる。
３．水では取り切れなかった油分や不純物は、ボックス型のバッフルフィルターを通過する際、バッフル上に吸着される。
４．さらに、プレート型バッフルフィルターを通過することにより、残された微粒子をも、バッフル上に吸着させる。
【実施例】
【０００６】尚、ボックス型バッフルフィルター・プレート型バッフルフィターは、洗浄が可能であるから、ランニングコストの低下になるが、捕集性のみを考えた場合、メタルフィルター等のオイルフィルターにすることができる。
さらに、機械の各面を、プレート型にすることにより、空気の取込み口、吹出し口、点検口などを、設置場所によって変更することができる。
【考案の効果】
【０００７】本考案は、水と、２重のバッフルフィルターによって、臭いの成分となる油分や不純物を取り除き、きれいな空気を屋外に排出するのである。
【図面の簡単な説明】
【図１】　　本考案の構造をあらわした斜視図
【図２】　　本考案の機器に送風機をダクト接続した使用斜視図
【図３】　　本考案の機器の各面をプレート型にして、噴出し口等の位置を変えた斜視図
【符号の説明】
　　１．　空気の取込口
　　２．　給水接続口
　　３．　噴霧のノズル
　　４．　パンチングプレート
　　５．　受け板
　　６．　ボックス型バッフルフィルター
　　７．　プレート型バッフルフィルター
　　８．　空気の吹き出し口
　　９．　排水口
　　１０．点検口
　　１１．給水ホース
【図１】
0003099125.tif 000003
【図２】
0003099125.tif 000004
【図３】
0003099125.tif 000005
(57)【要約】　　　（修正有）【課題】ペットボトルの中身が片手で飲めて、フタの紛失を防ぐことが出来る、フタ収納付きペットボトルを提供する。【解決手段】ペットボトル２にフタ３と同じ大きさの凹み１をつくることで、フタをペットボトルに収納することができるようにした。【選択図】　図２
0003099124.tif 000002
【実用新案登録請求の範囲】
【請求項１】
ペットボトルの上部側面に丸い凹みを付けることにより、凹みの中にフタを押し入れ、収納するフタ付き収納ペットボトル。
【考案の詳細な説明】
【考案の詳細な説明】
【技術分野】
【０００１】本発明は、ペットボトルのフタの紛失を防ぐために、ペットボトルの上部側面に凹みをつくり、フタを持つことなくペットボトルの中身を片手で飲めるようにしたものである。
【背景技術】
【０００２】従来は、フタを収納するペットボトルはなかった。
【考案が解決しようとする課題】
【０００３】従来のペットボトルは、飲んでいる時フタを近くに置く。そのため、フタが紛失しやすかった。本考案は、この課題を解消するためになされたものである。
【０００４】従来のペットボトルは、飲んでいる時フタを他の手で持っている。そのため、ペットボトルを飲む動作に両手を使う必要があり、他の動作がしにくかった。本考案は、この課題を解消するためになされたものである。
【課題を解決するための手段】
【０００５】ペットボトルの上部側面にフタと同じ大きさの凹みをつくり（１）、フタがはめ入れられるようにした（図２）。
【考案の効果】
【０００６】フタを持たずにペットボトルの中身を飲むことができるため、他の動作を容易にすることができる。
【図面の簡単な説明】
【図１】凹みを示したペットボトルの断面図である。
【図２】凹みにフタを収納した状況を示したペットボトルの断面図である。
【図３】正面からの立体図である。
【符号の説明】
　　　１　　凹み
　　　２　　ペットボトル
　　　３　　ふた
【図１】
0003099124.tif 000003
【図２】
0003099124.tif 000004
【図３】
0003099124.tif 000005